(57)【要約】【目的】  現像処理液の展開効率を向上して厚みを薄くする。【構成】  露光面１３ｄのうちの現像処理液が展開し難い現像処理液欠損範囲となる四角を覆うためのマスク部４５〜４８を開口２０ａの四角に設けた。マスク部４５〜４８としては、開口を打ち抜くときに一度で加工がし易いので，開口２０ａの四角に丸み部又は面取りを施すことで作られる形状にしている。現像処理液の展開効率を向上することで、現像処理液ポッドに封入する現像処理液の量を減らすことができ、よって現像液ポッド部及びトラップ部の厚みを薄くすることができる。【選択図】        図６
2006018041.tif 000002
【特許請求の範囲】
【請求項１】
露光面を露呈する矩形の開口が形成されたマスクシートのうちの前記開口の一辺に隣り合う一端に現像液ポッドを、前記開口を挟んで一端に対峙する他端にトラップ材をそれぞれ設け、現像液ポッドに封入した現像処理液を現像液ポッドから露光面へと展開するために前記一端から他端に向けて排出される自己現像処理型のインスタントフイルムユニットにおいて、
前記露光面のうちの現像処理液が展開し難い現像処理液欠損範囲となる四隅を覆うためのマスク部を前記開口の四隅に設けたことを特徴とするインスタントフイルムユニット。
【請求項２】
前記開口を構成する４辺のうちの排出方向に対して直交する幅方向で対峙する各二辺の排出方向に沿う直線部の長さは、前記開口の中央で排出方向に沿う直線長さに対して短くなっていることを特徴とする請求項１に記載のインスタントフイルムユニット。
【請求項３】
前記マスク部は、開口の四隅に丸み部又は面取りを施すことで作られることを特徴とする請求項１又は２に記載のインスタントフイルムユニット。
【請求項４】
前記露光面の範囲とマスク部に対応した四隅範囲とを加算した全範囲を幅方向に展開するのに必要な液溜側到達液量をＱ１（μｌ）、前記露光面のみの範囲を幅方向に展開するのに必要な液溜側到達液量をＱ２（μｌ）、前記丸み部の半径又は面取り長さをｒ（ｍｍ）、露光面の縦横比を４：３（縦は前記開口を構成する長辺の長さ、横は短辺の長さ）としたときに、
ｒ＞０．４×（Ｑ２−Ｑ１）
の条件式を満足することを特徴とする請求項３に記載のインスタントフイルムユニット。
【請求項５】
前記露光面の範囲とマスク部に対応した四隅範囲とを加算した全範囲を幅方向に展開するのに必要な液溜側到達液量をＱ１（μｌ）、前記露光面のみの範囲を幅方向に展開するのに必要な液溜側到達液量をＱ２（μｌ）、前記丸み部の半径又は面取り長さをｒ（ｍｍ）、前記開口の四隅のうちの一隅において前記現像処理液が展開しない現像処理液欠損範囲のうちの排出方向に沿う現像処理液欠損長さをａ（ｍｍ）、前記現像処理液欠損範囲のうちの幅方向に沿う現像処理液欠損長さをｂ（ｍｍ）、前記露光面の幅方向の最大長さをＬ（ｍｍ）、露光面を展開する現像処理液の厚みをｔ（ｍｍ）としたときに、Ｑ２−Ｑ１＝（２Ｌ−ａ）ｂｔで表され、
（−ａ／ｂ）ｘ1 ＋ａ＜ｒ＋（２ｒｘ1 −ｘ1 2 ）1/2  
但し、（０＜ｘ1 ＜ｂ）
の条件式を満足することを特徴とする請求項３に記載のインスタントフイルムユニット。
【発明の詳細な説明】
【技術分野】
【０００１】
本発明は、自己現像処理型のインスタントフイルムユニットに関するものである。
【背景技術】
【０００２】
インスタントフイルムユニット（以下、「フイルムユニット］）にはピールアパート型のものとモノシート型のものとがあり、いずれも撮影したその場でプリント写真が得られるという特長を備えている。ピールアパート型のものは、プリンタやインスタントカメラに装填して画像を記録した後にタブを引く操作を行うことで初めて感光シートと受像シートとが重なり、これらを重ねた状態で一対の展開ローラの間に進入させる手作業が伴うのに対し、モノシート型のものは、自動的にフイルムユニットを外部に排出することができるため、一般に広く普及している。
【０００３】
フイルムユニットを用いるプリンタは、ライン状の露光ヘッドをフイルムユニットの感光面上で移動させ、赤色、緑色、青色の三色面順次による露光を与えた後、露光済みのフイルムユニットを、展開ローラの間を通してインスタントカメラと同様に現像処理を施しながら排出する構造となっている（特許文献１）。
【０００４】
モノシート型のフイルムユニットは、露光により受像面に潜像が形成され、画像形成面にポジ画像が転写される感光シートと、この感光シートと重ねられるカバーシートと、これらのシート間に展開される現像処理液を封入した現像液ポッドと、展開後の余剰の現像処理液を捕捉するトラップ材などを含み、さらにこれらの構成部材は白色のマスクシートとスペーサとによって一体に結合されている（特許文献２）。マスクシートには、ポジ画像の転写範囲に対応する開口が形成され、開口の片面に感光シートとカバーシートとが重ねて接合される。スペーサは感光シートとカバーシートとの間に隙間を作るためのものである。
【０００５】
特許文献２公報に記載のフイルムユニットは、名刺やクレジットカードとほぼ同じ大きさ（以下、カードサイズと呼ぶ）のサイズとなっている。これにより、フイルムユニットのサイズが定期入れにも収まる手軽なサイズ（幅５４ｍｍ×長さ８６ｍｍ）となり、若年層を中心に人気を得ている。
【０００６】
このフイルムユニットは、一般に広く普及している名刺ホルダに収納できるサイズなので、複数枚の撮影済みのフイルムユニット（写真プリント）の整理もしやすい。また、この写真プリントを収納した名刺ホルダーを複数枚綴れば簡単にアルバムを作成することもでき、写真プリントを整理した状態で観賞することができる。
【０００７】
光面を露呈する開口は、一般的に矩形となっている（特許文献３）。また、装飾効果を高めるために露光面の周囲に枠状のプレ露光を行ったインスタントフイルム（特許文献４）や、装飾効果を高めるために露光面を露呈する開口をハート形や円形にしたインスタントフイルム（特許文献５）が知られている。
【０００８】
【特許文献１】特開２０００−２０４７５２号公報
【特許文献２】特開平１１−３１６４１２号公報
【特許文献３】米国特許第４６９３９６３号明細書
【特許文献４】実開昭６３−７３７４３号公報
【特許文献５】実用新案登録第３０４８９２０号公報
【発明の開示】
【発明が解決しようとする課題】
【０００９】
しかしながら、一般的にフイルムユニットは、露光面を四隅まで完全に展開するためにある程度余裕を持った現像処理液の量を現像液ポッドに封入しているため、現像液ポッドの部位の厚みが厚くなる。これに伴い余剰の現像処理液が多くなるため、これを捕捉するトラップ材も厚みの厚いものが使用され、この部位も厚くなる。このように厚みが厚くなるとホルダやアルバムに収納したときに嵩張って携帯しづらい面がある。
【００１０】
この問題を解決するために、本発明は、小型のホルダやアルバムに収納しても頬張ることがない厚みの薄いフイルムユニットを提供することを目的とする。
【課題を解決するための手段】
【００１１】
上記問題点を解決するために、本発明のフイルムユニットでは、露光面のうちの現像処理液が展開し難い現像処理液欠損範囲となる四隅を覆うためのマスク部を開口の四隅に設けたものである。また、開口を構成する４辺のうちの排出方向に対して直交する幅方向で対峙する各二辺の排出方向に沿う直線部の長さを、開口の中央を排出方向に沿って通る直線長さに対して短くしたものである。マスク部としては、どのような形状であっても良いが、例えば、開口の四隅に丸み部又は面取りを施すことで作られる形状にするのが、開口を打ち抜くときに一度で加工がし易いので好適である。
【００１２】
また、前記露光面の範囲とマスク部に対応した四隅範囲とを加算した全範囲を幅方向に展開するのに必要な液溜側到達液量をＱ１（μｌ）、前記露光面のみの範囲を幅方向に展開するのに必要な液溜側到達液量をＱ２（μｌ）、丸み部の半径又は面取りの長さをｒ（ｍｍ）、露光面の縦横比を４：３（縦は前記開口を構成する長辺の長さ、横は短辺の長さ）としたときに、
ｒ＞０．４×（Ｑ２−Ｑ１）
の条件式を満足するようにしたものである。
【００１３】
さらに、開口の四隅のうちの一隅において前記現像処理液が展開しない現像処理液欠損範囲のうちの排出方向に沿う現像処理液欠損長さをａ（ｍｍ）、前記現像処理液欠損範囲のうちの幅方向に沿う現像処理液欠損長さをｂ（ｍｍ）、前記露光面の幅方向の最大長さをＬ（ｍｍ）、露光面を展開する現像処理液の厚みをｔ（ｍｍ）としたときに、Ｑ２−Ｑ１＝（２Ｌ−ａ）ｂｔで表され、
（−ａ／ｂ）ｘ1 ＋ａ＜ｒ＋（２ｒｘ1 −ｘ1 2 ）1/2  
但し、（０＜ｘ1 ＜ｂ）
の条件式を満足するようにしたものである。
【００１４】
なお、本発明のフイルムユニットは、露光用の開口を除き、かつポッド材やトラップ材などを収納する余白部分に対して前記開口との面積比を１．２以下、好ましくは、１．３以下となっている。また、一般的に液晶表示画面やモニタの画面は縦横比が３：４となっているので、これに開口の縦横比を合わせておくと、例えば画像処理などでトリミングする手間を省略することができる。また、現像処理液欠損範囲を含み、かつ装飾効果を向上させる形状となるような範囲を覆う形状のマスク部にすることで、フイルムユニットの興趣を高めることができる。
【発明の効果】
【００１５】
本発明によれば、開口の四隅に現像処理液が展開し難い特性を鑑み、開口の四隅にマスク部を設け、露光面を露呈する矩形の開口を構成する４辺のうちの排出方向に対して直交する幅方向で対峙する二辺を、排出方向に沿う直線部のみの長さが前記開口の排出方向に沿う最大長さに対して短くしたから、展開効率が向上する。これにより、現像処理ポッドに封入する現像処理液の量を減らすことができ、現像処理ポッドとともにトラップ材の厚みを薄くすることができる。これにより、コスト低減で高品質なフイルムユニットを作ることができる。また、露光面のサイズが大きいフイルムユニットを用いるカメラでは、大きなイメージサークルが得られるレンズを必要とする。しかし、四隅にマスク部を設ける分だけイメージサークルを小さくすることができ、カメラ側でのコストも低減することができる。
【発明を実施するための最良の形態】
【００１６】
フイルムユニット１３は、図１に示すように、厚みの薄いシート状となっており、インスタントカメラでの排出方向の下流側（上端）から現像液ポッド部１３ａ、露光部１３ｂ、及びトラップ部１３ｃとが順に設けられた自己現像処理型のフイルムである。露光部１３ｂは、露光面１３ｄとなる感光層、白色の拡散反射層、及び受像層とから構成されている。このフイルムユニット１３は、露光が行われる露光面１３ｄと、画像を観察するポジ像観察面１３ｅとが異なる面に設けられた透過型のタイプである。
【００１７】
現像液ポッド部１３ａには、現像処理液が封入されている。感光層現像処理液が展開されると、感光層に記録された潜像が拡散反射層を通してポジ像として受像層に転写される。受像層に転写された像は、ポジ像観察面１３ｅからポジ像として観察される。トラップ部１３ｃは、感光層とカバーシートとの間に展開して余った現像処理液を捕捉して硬化させる。露光部１３ｂの厚みは、現像液ポッド部１３ａ及びトラップ部１３ｃよりも薄くなっている。このフイルムユニット１３は、最後まで１枚のシートとして取り扱うことができるモノシートタイプとなっている。
【００１８】
フイルムユニット１３は、図２及び図３に示すように、マスクシート２０、感光シート２１、一対のスペーサ２２，２３、現像液ポッド２４、トラップ材２５、及びカバーシート２６から構成されている。なお、図２及び図３は、フイルムユニット１３をポジ像観察面１３ｅ側から見ている。
【００１９】
マスクシート２０は薄いプラスチックでシート状に形成され、開口２０ａを備えている。開口２０ａの縁は、カメラやプリンタでの露光範囲を規制するマスクとなる。マスクシート２０の裏面（図２に露呈している面）２０ｂには接着剤が塗布されている。開口２０ａを挟んで現像処理液の展開方向（排出方向に対して逆方向）に沿った上下には、折り目２０ｃ，２０ｄに沿って折り返される折り返し部２０ｅ，２０ｆが設けられている。
【００２０】
感光シート２１は、開口２０ａから露呈するサイズとなっており、開口２０ａに対して中心合わせでマスクシート２０の裏面２０ｂに貼着される。
【００２１】
感光シート２１の幅方向（排出方向に対して直交する方向）の両側には、スペーサ２２，２３が接着され、感光シート２１とスペーサ２２，２３との上面には、開口２０ａに対して中心合わせでカバーシート２６が接着される。スペーサ２２，２３は、感光シート２１よりも厚みが厚くなっている。このため、感光シート２１とカバーシート２６との間が一定の間隙に確保され、現像処理液がこの間に均等に展開される。
【００２２】
現像液ポッド２４は、略袋状に形成されており、その内部には現像処理液が封入されている。現像液ポッド２４がカメラに設けた展開ローラで裂開されると現像液が展開され、感光シート２１のポジ像観察面１３ｅにポジ画像が出現する。
【００２３】
この現像液ポッド２４は感光シート２１の上に接着され、マスクシート２０の一方の折り返し部２０ｆで包まれる。この現像液ポッド２４は、感光シート２１のうちの排出方向の下流側の一部２７に貼着される。
【００２４】
トラップ材２５は、感光シート２１に対して排出方向の上流側に接着される。現像処理で余剰となった現像処理液はトラップ材２５により吸収されて捕捉される。このトラップ材２５もマスクシート２０の他方の折り返し部２０ｅで包まれる。
【００２５】
マスクシート２０の折り返し部２０ｅ，２０ｆは、折り目２０ｃ，２０ｄから図３（Ｃ）に示した矢印方向に折り返され、折り返し部２０ｅ，２０ｆの先端がカバーシート２６の裏面に接着される。これにより、現像液ポッド２４、トラップ材２５がマスクシート２０によって包み込まれて保持され、現像処理液がフイルムユニット１３の外部に漏れ出さないようになる。なお、上記フイルムユニット１３では、マスクシート２０によって感光シート２１の感光面のうちの周囲が隠されるため、フイルムユニット１３において実際に画像が表示される面積は開口２０ａの大きさとなる。この開口２０ａは、排出方向に沿う辺の方が長い矩形な開口となっており、プレスカッターやレーザーカッターを使用して打ち抜き形成して作られる。
【００２６】
前記フイルムユニット１３は、インスタントフイルムパックに複数枚重ねて収納した状態でインスタントカメラに装填される。インスタントカメラは、シャッタレリーズをするごとに前記パックの露光開口にセットしたフイルムユニット１３の露光面１３ｄに露光を行い、露光完了後に掻き出しクローを作動して露光済みのフイルムユニット１３をインスタントフイルムパックから１枚ずつ掻き出す。
【００２７】
フイルムユニット１３は、掻き出しクローによる掻き出しが終了する直前に、展開ローラ対に挟み込まれる。展開ローラ対は、フイルムユニット１３をニップしながら自身回転によりフイルムユニット１３を排出方向に送り、この送り中に現像液ポッド２４を裂開し、この現像液ポッド２４から流れ出る現像処理液を感光シート２１とカバーシート２６との間に展開する。このようにフイルムユニット１３は現像処理液が展開されながらカメラのフイルム排出口からカメラの外部に排出され、フイルムユニット１３のポジ像観察面１３ｅには一定時間後にポジ画像が形成される。
【００２８】
展開ローラ３０は、図４に示すように、中央部３２から一方の端３３に向けて順に中央隣接部３４、溝部３５、及び、端部３６をもつ左右対称の形状となっており、端部３６及び中央隣接部３４よりも中央部３２の径を太くしたクラウン形状となっている。また、展開ローラ３１は、径の同じローラであり、展開ローラ３０と比べて溝部３５がないローラである。溝部３５は、端部３６及び中央隣接部３４よりも径が細くなっている。展開時には、フイルムユニット１３の幅方向の端３７，３８が一方の展開ローラ３０の左右の端部３６との間に位置し、また、開口２０ａの幅方向で対峙する両縁が一方の展開ローラ３０の左右の溝部３５との間に位置する。そして、一方の展開ローラ３０の外周のうちの中央部３２を挟んで左右の中央隣接部３４までの外周が開口２０ａ内に入り込んで露光面１３ｄをフイルムユニット１３の背後にある他方の展開ローラ３１の中央部との間でバネ力２８，２９により押圧して現像処理液を展開する。
【００２９】
現像処理液の展開は、開口２０ａの四縁のうちの排出方向に対峙する二縁３９，４０に段差があるため、図５に示すように、開口２０ａの四隅の範囲（ハッチィングで示した範囲４１〜４４）に展開し難い特性がある。これら範囲４１〜４４は、フイルムユニット１３の幅方向に沿う辺４２ａ、これに隣接して排出方向に沿う辺４２ｂ、及び曲線４２ｃとで構成される略三角状の範囲になり、辺４２ａよりも辺４２ｂの方が長い形状となっている。このため、現像処理液の量が不十分であると、四隅の範囲４１〜４４に現像処理液が展開することができない不都合が生じる。なお、以下では、四隅の範囲４１〜４４を現像処理液欠損範囲と称す。
【００３０】
そこで、図６に示すように、現像処理液欠損範囲４１〜４４を覆うマスク部４５〜４８を開口２０ａの四隅に設けた。マスク部４５〜４８の形状としては、開口２０ａの四隅に丸み部Ｒを設けて作られる形状としてもよい。これにより、露光面１３ｄの面積を丸み部Ｒの分だけ少ないため、現像処理液の展開が四隅まで確実に展開をすることができる。
【００３１】
このように現像処理液の展開効率を向上すると、現像液ポッド２４に封入する現像処理液の量を減らすことができ、よって、現像液ポッド２４の厚みも薄くすることができる。
【実施例】
【００３２】
図６に示したフイルムユニット１３の各寸法の一例を表１に示す。
【００３３】
［表１］
┌──┬───────────┬────────────┬──────┐
│    │    本実施形態        │        従来の形態      │従来との比  │
├──┼───────────┼────────────┼──────┤
│Ａ  │      ５４mm          │          ５４mm        │    同じ    │
├──┼───────────┼────────────┼──────┤
│Ｂ  │      ８５．６mm      │          ８５．６mm    │    同じ    │
├──┼───────────┼────────────┼──────┤
│Ｃ  │      ４６mm          │          ４６mm        │    同じ    │
├──┼───────────┼────────────┼──────┤
│Ｄ  │      ６１．３mm      │          ６２．１mm    │  ９９％    │
├──┼───────────┼────────────┼──────┤
│Ｅ  │      ８．３mm        │          ７．５mm      │  １１１％  │
├──┼───────────┼────────────┼──────┤
│Ｆ  │      １６mm          │          １６mm        │    同じ    │
├──┼───────────┼────────────┼──────┤
│Ｒ  │      半径２mm        │          ０ｍｍ        │            │
└──┴───────────┴────────────┴──────┘
【００３４】
表１に示すように、開口２０ａのサイズは、排出方向の長さ（縦長さ）と幅方向の長さ（横長さ）との比が従来４：２．９６であったのに対し、本実施形態では４：３とし、且つ、従来丸み部がなかった開口２０ａの四隅に、本実施形態では半径２ｍｍの円弧で丸み部Ｒを形成している。これら丸み部Ｒとコーナーを構成する二直線とで囲まれる範囲がマスク部４５〜４８に相当する。
【００３５】
これにより、本実施形態のフイルムユニット１３は、表２に示すように現像処理液の封入量を従来のものに比べて７３．５％まで減らすことができ、これに伴って露光面１３ｄの内部の現像処理液の展開厚み（カバーシート２６と感光シート２１との間の隙間）や露光面１３ｄの外に余剰する現像処理液（露光面外余剰液）の量を吸収するトラップ材２５の厚みなどを薄くすることができる。
【００３６】
［表２］
┌──────────┬──────┬────────┬───────┐
│                    │本実施形態  │  従来の形態    │  従来との比  │
├──────────┼──────┼────────┼───────┤
│現像処理液の封入量  │  １８０μｌ│    ２４５μｌ  │  ７３．５％  │
├──────────┼──────┼────────┼───────┤
│露光面内現像処理液  │            │                │              │
│展開厚み            │  ３８μｍ  │    ５５μｍ    │  ６９．１％  │
├──────────┼──────┼────────┼───────┤
│露光面外余剰液      │  ５５μｌ  │    ７０μｌ    │  ７８．６％  │
├──────────┼──────┼────────┼───────┤
│トラップ材の厚み    │  ０．５ｍｍ│  ０．６５ｍｍ  │  ７６．９％  │
└──────────┴──────┴────────┴───────┘
【００３７】
表３に示すように、本実施形態のフイルムユニット１３は、従来のものに比べて現像液ポッド部１３ａの厚みを９１％、トラップ部１３ｃの厚みを８４％まで薄くすることができる。
【００３８】
［表３］
┌────────┬────────┬────────┬───────┐
│                │  本実施形態    │  従来の形態    │  従来との比  │
├────────┼────────┼────────┼───────┤
│ポッド部厚み    │  １．０ｍｍ    │  １．１ｍｍ    │    ９１％    │
│( ｔ１)         │                │                │              │
├────────┼────────┼────────┼───────┤
│露光面部厚み    │  ０．２ｍｍ    │  ０．２ｍｍ    │    同じ      │
│( ｔ２)         │                │                │              │
├────────┼────────┼────────┼───────┤
│トラップ部厚み  │  ０．８ｍｍ    │  ０．９５ｍｍ  │    ８４％    │
│( ｔ３)         │                │                │              │
└────────┴────────┴────────┴───────┘
【００３９】
なお、開口２０ａの四隅に設ける丸み部Ｒとしては、半径２ｍｍの円弧にしているが、これに限らず、開口２０ａの排出方向の長さ及び幅方法長さに基づく最大の半径以下であれば数値はいくつでも良い。また、１つの円弧で作る他に、径の異なる２つ以上の円弧を接続した曲線で構成してもよい。この場合、径の大きな円弧の方が排出方向に沿う辺に接する丸みにするのが、現像処理液の展延範囲の輪郭線に略一致するので望ましい。また、マスク部４５〜４８としては、開口２０ａの四隅に面取りを施した形状としてもよい。
【００４０】
そこで、本実施形態では、薄くするために有効な丸み又は面取り長さを実験により求めた結果、以下の［数１］もしくは［数２］に記載の条件式を満たすことが望ましいことが分かった。
【００４１】
［数１］
ｒ＞０．４×（Ｑ２−Ｑ１）
【００４２】
なお、数１に記載したＱ１（μｌ）は、露光面１３ｄの範囲とマスク部に対応した四隅の範囲とを加算した全範囲のうちの幅方向に展開するのに必要な液溜側到達液量、Ｑ２（μｌ）は、前記四隅の範囲を除いた露光面のみの範囲を幅方向に展開するのに必要な液溜側到達液量、ｒ（ｍｍ）は、前記丸み部の半径又は面取り長さとする。なお、露光面１３ｄの縦横比は３：４（縦は排出方向の長さ、横は幅方向の長さ）とする。
【００４３】
［数２］
（−ａ／ｂ）ｘ1 ＋ａ＜ｒ＋（２ｒｘ1 −ｘ1 2 ）1/2  
但し、（０＜ｘ1 ＜ｂ）
【００４４】
なお、数２に記載したａ（ｍｍ）は、開口２０ａの四隅のうちの一隅に前記現像処理液が展開しない現像処理液欠損範囲のうちの排出方向に沿う現像処理液欠損長さ、ｂ（ｍｍ）は、前記現像処理液欠損範囲のうちの幅方向に沿う現像処理液欠損長さとし、図７に示すように、ｘを排出方向の任意の位置、ｙを幅方向の任意の位置としている。そして、Ｌ（ｍｍ）は、前記露光面の幅方向の最大長さ、ｔ（ｍｍ）は、露光面を展開する現像処理液の厚みをとしたときに、Ｑ２−Ｑ１＝（２Ｌ−ａ）ｂｔで表される。
【００４５】
そして、数２の式は、以下の式から導いたものである。
ｒとの関係は、図７に示すように、枠曲線５０を
（ｘ−ｒ）2   ＋（ｙ−ｒ）2 ＝ｒ2 
とし、また、欠損線５１を
ｙ＝（−ａ／ｂ）ｘ＋ａ
としたときに、任意のｘにおいて、
ｘ12＋（（−ａ／ｂ）ｘ1 ＋ａ）2 ＞ｘ12＋（ｒ＋（ｒ2 −（ｘ1 −ｒ）2 ）1/2 ）2 
となる。但し、０＜ｘ1 ＜ｂである。
【００４６】
なお、上記［数１］及び［数２］で使用した変数の好ましい値は、実験した結果からｒ＝１〜４ｍｍ、Ｑ２＝１５〜４０μｌ、Ｑ１＝１０〜３５μｌが望ましく、また理論上の計算に基づくと露光面１３ｄの幅方向の最大長さＬ＝４０〜１１０ｍｍ、ｔ＝０．０２〜０．０６ｍｍが好適である。
【００４７】
また、現像処理液欠損範囲（四隅の範囲）４１〜４４の面積としては、現像処理液欠損範囲４１〜４４と露光面１３ｄとを加算した全範囲の面積に対して０．０４〜０．０９％にするのが望ましい。これは、Ｌ＝４０〜１１０ｍｍとしたときに、縦横比が３：４であるので露光面１３ｄの排出方向に沿う最大長さは５３．５〜１４６．７ｍｍが望ましく、さらに、ｒ＝１〜４ｍｍが望ましいことを根拠として割り出したものである。
【００４８】
さらに、露光面の幅方向の最大幅長さに対して露光面外余剰液を規定してもよい。この場合には、Ｌ＝４０〜１１０ｍｍとしたときに、露光面外余剰液の量は４０〜１６０μl とするのが望ましい。
【００４９】
上記実施形態では、開口２０ａを長方形としているが、正方形としてもよい。また、長方形の開口２０ａの長辺方向に沿ってフイルムユニットを排出し、排出したフイルムユニットをその方向に沿って展開ローラで展開しているが、これに限らず、短辺方向に沿って排出して展開する構成のフイルムユニットとしてもよい。
【００５０】
また、上記実施形態では、モノシート型のフイルムユニットとして説明しているが、本発明ではこれに限らず、ピールアパート型のフイルムユニットに本発明を採用してもよい。このフイルムユニットは、前端部にタブ付きの引き出しシートが接合され、後端部にスカートが接合された感光シートと、画面に対応する開口が形成されたマスクシートに保持された受像シートとからなる。この場合、受像シートに設けられている画面サイズを画定する開口の四隅にマスク部を設ければよい。
【図面の簡単な説明】
【００５１】
【図１】本発明のフイルムユニットを示す斜視図である。
【図２】フイルムユニットの構成を示す分解斜視図である。
【図３】フイルムユニットの製造手順を順番に示す斜視図である。
【図４】インスタントカメラの展開ローラ対でフイルムユニットをニップしている状態を示す説明図である。
【図５】現像処理液が露光面を展開する特性を示す説明図である。
【図６】フイルムユニットを示す正面図及び左側面図である。
【図７】マスク部を拡大して示した説明図であり、数２で説明した式で用いた記号を説明するための図である。
【符号の説明】
【００５２】
１３  フイルムユニット
２０  マスクシート
２０ａ  開口
２１  感光シート
２２，２３  スペーサ
２４  現像液ポッド
２６  カバーシート
４１〜４４  現像処理液欠損範囲
４５〜４８  マスク部
【図１】
2006018041.tif 000003
【図２】
2006018041.tif 000004
【図３】
2006018041.tif 000005
【図４】
2006018041.tif 000006
【図５】
2006018041.tif 000007
【図６】
2006018041.tif 000008
【図７】
2006018041.tif 000009